(57)【特許請求の範囲】
【請求項１】
支柱間に適宜間隔で多数の横桟が取着されてなるパネルの横桟に棚受け具が取着され、この棚受け具に棚板が載置され、この棚板とパネルを構成する横桟がハネ止め具に挟持されてなる棚に於いて、このハネ止め具の上端が鈎形に折曲されて係止部となされ、下端部が直角に折曲され折曲片となされるとともに、この折曲片上にハネ止め部が突設され、ハネ止め具の係止部がパネルの横桟に係止され、折曲片とハネ止め部間にパネルの横桟と棚板が挿入挟持されたことを特徴とする棚板のハネ止め構造。
【発明の詳細な説明】
【０００１】
【発明の属する技術分野】
本発明は、店舗等で用いられる什器用の棚や家庭での収納等に用いられる棚に関し、支柱間に多数の横桟が取着されたパネルとこのパネルに棚板が取着されてなる棚板のハネ止め構造に関する。
【０００２】
【従来の技術】
従来、支柱間に適宜間隔で多数の横桟が取着されてなるパネルの横桟に棚受け具が取着され、この棚受け具上に棚板が載置された棚の固定構造が知られていた。この棚受け具の載置部には棚板裏面の嵌合溝に適合した嵌合突部が形成され、この嵌合突部と嵌合溝が嵌合され棚板が棚受け具とズレにくくなされている。
【０００３】
【発明が解決しようとする課題】
しかしながら上記の如き棚受け具を用いた棚板の固定構造に於いては、棚板と棚受け具がズレにくくなされているものの、棚板に上向きの応力が加えられると棚板が跳ね上がるという問題があった。
【０００４】
そこで本発明者は従来の欠点に鑑み鋭意研究の結果、容易に取着できるハネ止め具を用いることにより棚板のハネ上がりを防ぎ、施工性を向上させた棚板のハネ止め構造を提供するものである。
【０００５】
【課題を解決するための手段】
本発明棚板のハネ止め構造は、支柱間に適宜間隔で多数の横桟が取着されてなるパネルの横桟に棚受け具が取着され、この棚受け具に棚板が載置され、この棚板とパネルを構成する横桟がハネ止め具に挟持されてなる棚に於いて、このハネ止め具の上端が鈎形に折曲されて係止部となされ、下端部が直角に折曲され折曲片となされるとともに、この折曲片上にハネ止め部が突設され、ハネ止め具の係止部がパネルの横桟に係止され、折曲片とハネ止め部間にパネルの横桟と棚板が挿入挟持されたもので、棚板が跳ね上がることがなく、施工が容易であり、又、ハネ止め具の上端がパネルの横桟に係止されるので、ハネ止め具が容易に外れることがない。
【０００６】
【発明の実施の形態】
以下、図面を参照しながら本発明に付いて説明する。
【０００７】
１はパネルであり、支柱１１間に適宜間隔で横桟１２が取着されパネル１となされている。このパネル１が水平視Ｌ形やコ字形に配設されこのパネル１の横桟１２に棚受け具２が取着され、この棚受け具２上に棚板３が載置され棚となされている。棚受け具２は上端部の係止部２１と下端部の折曲片２２がパネル１の支柱１１間に架設された上下一対の横桟１２に挟着されている。
【０００８】
棚受け具２は鋼板、ステンレス鋼板、アルミ合金板等の金属板を折曲して作製されている。棚受け具２の上端部は背面側に折り返され鈎形の係止部２１が設けられ、下端部は背面側に略直角に折曲され、折曲片２２となされている。係止部２１と折曲片２２は垂直板部２３で結ばれ、この垂直板部２３の中間部が垂直板部２３に対し直角に折曲され、先端が鋭角に折曲され、載置部となされている。載置部の上部は略水平となされ、下部は斜め下方に折曲され垂直板部２３に連結されている。又、載置部の下部には矩形の透孔が設けられ弾性が付与され、弾性部となされている。この載置部の上部には突部が設けられ係止突部となされ、棚板３のズレ止めとなされている。
【０００９】
パネル１は２本の鋼線の間に適宜間隔で鋼線等の金属線からなる横桟１２が挟まれ溶接等で取着され梯形に形成されている。パネル１は塗装や鍍金等適宜表面処理が施される。パネル１は本実施例では２本の鋼線からなる支柱１１間に横桟１２のみが架設された梯形としたが、上下に亘って配設された横桟１２に上下方向に、縦桟が取着された格子状となされてもよい。又、支柱１１は鋼線に限るものではなく、鋼管等の金属管が用いられてもよい。パネル１を構成する支柱１１の下端にはネジ機構等で高さが調整できるアジャスターが設けられればさらに好適な棚構造となされる。
【００１０】
棚板３は木板や合成樹脂板等を適宜形状に切断して作製されればよいし、鋼板等の金属板の縁部を折曲して作製されても良い。棚板３の裏面には前記棚受け具２に形成された係止突部に対応した凹溝が設けられ、棚板３が棚受け具２上でズレにくくなされている。又、棚板３は金属線材を格子状に溶接で組み立てたメッシュ棚でもよい。又、棚板３の形状は矩形に限るものではなく、四半円形等の適宜形状となされる。
【００１１】
ハネ止め具４は鋼板、ステンレス鋼板、アルミ合金板等の金属板を折曲して作製されている。ハネ止め具４の上端は正面側に折り返され、鈎形の係止部４１となされている。ハネ止め具４の下端が正面側に直角に折曲されて折曲片４２となされ、この折曲片４２と係止部４１が連結部４３で連結され、この連結部４３の下部が正面側に折曲膨出されハネ止め部４４となされている。このハネ止め部４４と折曲片４２の間隙は棚板の厚みと略同寸法となされ挟持部４５となされている。
【００１２】
次に本発明棚板の取付構造の組立方法に付いて説明する。
棚受け具２をパネル１の任意の横桟１２に対応させ、係止部２１を横桟１２に係止し、折曲縁を前記横桟１２と相隣る下方の横桟１２に押し付けるようにして棚受け具２の反発弾性を利用して横桟１２間に挟着する。同様にして複数の棚受け具２をパネル１に取着し、棚受け具２の載置部上に棚板３を載置し、載置部先端部に形成された係止突部が棚板３の裏面に形成された係止凹溝に係止され棚板３のズレが防止される。次にハネ止め具４の係止部４１を棚板の上部に位置する横桟１２に係止し、ハネ止め具４の挟持部４５を棚板の縁部にパネル１の横桟１２とともに嵌着する。棚板３はパネル１の横桟１２とともにハネ止め具４の挟持部４５に挟持され、棚板３に上向きの応力が付加されたときも棚板３が跳ね上がるということがない。又、ハネ止め具４の取付は棚板３の縁部に挟み込むだけで施工が容易であり、ハネ止め具４の係止部４１がパネル１の横桟１２に係止されているので、容易に外れることがない。
【００１３】
【発明の効果】
上述の如く、本発明棚板のハネ止め構造は、支柱間に適宜間隔で多数の横桟が取着されてなるパネルの横桟に棚受け具が取着され、この棚受け具に棚板が載置され、この棚板とパネルを構成する横桟がハネ止め具に挟持されてなる棚に於いて、このハネ止め具の上端が鈎形に折曲されて係止部となされ、下端部が直角に折曲され折曲片となされるとともに、この折曲片上にハネ止め部が突設され、ハネ止め具の係止部がパネルの横桟に係止され、折曲片とハネ止め部間にパネルの横桟と棚板が挿入挟持されたもので、棚板が跳ね上がることがなく、施工が容易であり、又、ハネ止め具の上端がパネルの横桟に係止されるので、ハネ止め具が容易に外れることがない。
【００１４】
【図面の簡単な説明】
【図１】本発明棚板のハネ止め構造に於けるパネルとハネ止め具の組立状態を示す斜視図である。
【図２】ハネ止め具の部分の詳細を示す斜視図である。
【図３】本発明棚板のハネ止め構造に用いられるハネ止め具の実施形態の一例を示す側面図である。
【符号の説明】
１    パネル
１１  支柱
１２  横桟
２    棚受け具
２１  係止部
２２  折曲片
２３  垂直板部
３    棚板
４    ハネ止め具
４１  係止部
４２  折曲片
４３  連結部
４４  ハネ止め部
４５  挟持部
【図１】
0003559427.tif 000002
【図２】
0003559427.tif 000003
【図３】
0003559427.tif 000004